【事件の表示】
　特願２００９−　　８１７３「入力装置」拒絶査定不服審判事件〔平成２２年　７月２９日出願公開，特開２０１０−１６４４８８〕について，次のとおり審決する。
【結　論】
　本件審判の請求は，成り立たない。
【理　由】
第１　手続の経緯　
　本願は，平成２１年　１月１６日の特許出願であって，平成２５年　９月２７日付けで拒絶査定（発送日：平成２５年１０月２２日）がなされ，これに対して，平成２６年　１月１０日に本件審判の請求がなされるとともに手続補正がなされたものである。　
　
第２　平成２６年　１月１０日付けの手続補正の却下の決定　
［補正の却下の決定の結論］　
　平成２６年　１月１０日付けの手続補正（以下「本件補正」という。）を却下する。　
　
［理由］　
１．補正後の本願発明　
　本件補正により，特許請求の範囲の請求項１は，　
「【請求項１】　
　表示画面に処理内容を表示するコンピュータに処理を行わせるコマンド情報と，該コマンド情報に付加される付加情報とが読取装置により読み取り可能なコードとして付与された冊子状の入力装置であって，　
　複数のシート状の印刷媒体と，該印刷媒体より厚みが厚いおもて表紙および裏表紙とを有する冊子本体と，　
　前記おもて表紙および前記裏表紙のうちの少なくとも一方の小口側に連接され，収納状態においては前記おもて表紙および裏表紙の間に折り畳まれ，使用状態においては前記おもて表紙と前記裏表紙との間から操作可能に取り出される操作用シート片とを備え，　
　前記印刷媒体には，視覚によりユーザに情報を提供する視認コンテンツがあらかじめ印刷されていると共に，該視認コンテンツに対応した前記付加情報に対応する前記コードが付与され，　
　前記操作用シート片には，前記複数の
シート状の
の個別の内容
と補正された（当審にて，補正された箇所に下線を付した。）。　
　本件補正は，本件補正前の請求項１に記載された発明を特定するために必要な事項である「複数の印刷媒体」を「複数のシート状の印刷媒体」と，「視認コンテンツに共通して」を「視認コンテンツの個別の内容に共通して」と，限定したものであって，この限定された事項は，願書に最初に添付された明細書，特許請求の範囲又は図面に記載されたものであって，本件補正後の請求項１に記載された発明は，本件補正前の請求項１に記載された発明と，産業上の利用分野及び解決しようとする課題が異なるものではないから，本件補正は，特許法第１７条の２第５項第２号の特許請求の範囲の減縮を目的とするものに該当する。　
　そこで，本件補正後の前記請求項１に記載された発明（以下「本願補正発明」という。）が特許出願の際独立して特許を受けることができるものか（特許法第１７条の２第６項において準用する同法第１２６条第７項の規定に適合するか）について以下に検討する。　
　
２．引用例及びその記載事項　
（１）原査定の拒絶の理由に引用された，本願の出願前に頒布された刊行物である特開２００４−２９４９４２号公報（以下「引用例１」という。）には，「地図情報処理システム」に関し，図面とともに以下の事項が記載または示されている。　
　
・「【０００１】　
【発明の属する技術分野】　
本発明は，紙上の特定の位置を電子ペンにより取得して電子的情報に変換するシステムに関し，特に地図上の位置座標を取得して電子的情報に変換して，変換した座標情報を別の装置で利用する地図情報処理システムに関する。」　
　
・「【０００６】　
本発明は，以上のような従来の装置の欠点を補うため，紙の地図の利点を生かして，紙の地図上のペーパ座標を地理座標に変換し，別の装置に送信する方法の提供を目的としている。　
【０００７】　
【課題を解決するための手段】　
上記目的を達成するため，本発明は，以下に記載の構成を備える。　
位置情報をドットパターンで記録した紙と，前記ドットパターンを読み取ることで位置情報を取得し電子的に読み取り可能な位置情報に変換する電子ペンを備えた地図情報処理システムにおいて，前記紙に地理座標と対応付けられたドットパターンを印刷した地図と，前記地図に前記地図を特定するための紙の識別情報を有しており，電子ペンにより取得した紙の位置情報を電子地図上の座標に変換する手段を備えたことを特徴とする地図情報処理システムである。　
【０００８】　
より具体的には，本発明では，電子地図１を切り分けて，縮尺に応じて電子ペーパ２上に印刷し，図１に示すように，電子ペーパの番号３と電子地図の番号４，電子ペーパの保持するドットパターン５と電子ペーパ上に印刷された地図７の地理座標６，および，電子ペーパ上に印刷された地図７の地理座標６と電子地図上の地理座標を一致させている。　
電子ペーパの番号と電子ペーパ上の地図を対応付ける情報は，データベースに格納して保持することを一つの特徴とする。　
上記において，ドットパターンと地図の座標を対応付けて印刷した電子ペーパ上の地図から，電子ペンを用いてペーパ座標を読み取る。電子ペーパ上のペーパ座標と電子地図の地理座標を対応付けるデータベースを使用することで，ペーパ座標は地理座標として取得することが出来ることも一つの特徴である。　
上記において，取得したペーパ座標とペーパＩＤは，各々を個別に処理装置に送信することが出来ること。また，同時に纏めて送信したデータを，送信先で混同することなく分離してもとの状態のデータとしても取得できることも一つの特徴である。　
電子ペンで取得した地図上の座標を実際の緯度経度に変換する方法は，ＸＹ座標と平面直角座標の変換として実現できる。この場合，取得したペーパＩＤと地図番号を対応付け，ページ上の基準点となる絶対座標Ｘ，Ｙを地図番号から求める。次に，地図帳上の基準点とオフセットを考慮して，ペンで指定された位置の絶対座標を求める。絶対座標から緯度・経度への変換は，通常の方法を用いて実現できる。　
これにより，電子ペンで取得した地図上の座標を実際の緯度経度に変換することができる。　
なお，ペーパＩＤと地図のＸＹ座標から直接緯度・経度を求めることも可能である。　
【０００９】　
また，地図帳の余白をなくして，オフセットを０とすることにより，地図のＸＹ座標とペーパのＸＹ座標を一致させた地図データベースを予め作成することができる。　
また，上記では，ＷＧＳ（ｗｏｒｌｄ  ｇｅｏｄｅｔｉｃ  ｓｙｓｔｅｍ）を用いて緯度経度への変換を行っているが，ＵＴＭ（ｕｎｉｖｅｒｓａｌ  ｔｒａｎｓｖｅｒｓｅ  ｍｅｒｃａｔｏｒ’ｓ  ｐｒｏｊｅｃｔｉｏｎ）座標，平面直角座標などへ変換した地理座標を用いても良い。　
地図から取得したペーパ座標をネットワーク経由で処理する場合，地図上，もしくはドットパターンの印刷された他の電子ペーパ上に印刷された機能ボックス２５を用いる。データの転送先を振り分けて送信ボックス２６をチェックして送信することにより，一つのデータを複数のアプリケーションで利用可能にする。また，送信先を振り分ける機能ボックスは，使用済みのものを剥がしていく方式や上から順にめくっていく方式をとることで，繰り返し利用しても汚損せず使用することが可能である。」　
　
・「【００１１】　
【発明の実施の形態】　
まず，本発明の最も単純で基本的なシステム構成について述べる。　
システム自体は，図３のように，ドットパターンの印刷された電子ペーパ上に書かれた地図，電子ペン，ＰＣから構成される。ＰＣ内には送信されてきたペーパ座標を地理座標に変換する地図座標変換データベースと，その変換した地理座標や種々の地図情報を保持する地図データベースと，地図情報を利用するアプリケーションが組み込まれている。電子ペンでの処理とＰＣ３３での処理プログラムの流れを示すフローチャートは，図１５のようになる。　
まず，利用者が，地図３２上の特定位置を電子ペン３１で指定すると，そのドットパターンからペーパ座標と地図を特定する情報が読み取られる。（Ｓ１１）
送信ボックスにチェックを入れて，伝送の合図を送ると，読み取られたペーパ座標はＰＣ３３へ送信される（Ｓ１２）。　
ペーパ座標は地図座標変換データベースにより地理座標に変換されてから，アプリケーションで利用される（Ｓ１３）。　
紙の上で，ペンで指し示した部分の位置情報を取得する方法の一つとして，国際出願番号ＰＣＴ／ＳＥ００／０１８９７号（ＷＯ０１／２６０３３Ａ１号）に記載の技術がある。この技術では，電子ペーパ上のドットに位置の符号化パターンを与え，電子ペンを用いて電子ペーパ上に書き込んだ文字や図形を，そのドットの符号化パターンから読み取るようになっており，文字図形の軌跡はドットパターンのベクトル情報として保存・送信されることを特徴として有しており，本実施形態では，その電子ペンもしくは電子ペーパを一例として説明する。必ずしも，その例に限定されるものではない。
次に，電子ペーパ上に印刷した地図から読み取ったペーパ座標（ＸＹ座標）を，地理座標に変換する方法の一例を挙げる。　
【００１２】　
図２に，地図帳のうち地図が印刷されている１つのページを示す。実際に地図が印刷されているのは，余白と下段にある機能ボックス領域２３を除いた部分である。ただし，余白や機能ボックス領域についてもドットパターンは印刷されている。　
どの地図に対応しているのかは，ペーパＩＤ２２によって識別できるので，ペーパＩＤとページの左上を原点とするＸ座標２８ａ，Ｙ座標２８ｂから緯度・経度を求めることが出来る。ある関数Ｆを用いて　
［Ｘｇ，  Ｙｇ］  ＝  Ｆ（ＰＰＩＤ，  Ｘｍ，  Ｙｍ）　
により，計算できる。　
ただし，　
ＰＰＩＤ：ペーパＩＤ　
Ｘｍ：地図帳上のＸ座標　
Ｙｍ：地図帳上のＹ座標　
Ｘｇ：緯度　
Ｙｇ：経度　
とする。ここで，関数Ｆは以下の計算を行う。　
地図帳におけるページを識別するＩＤはないため，ペーパＩＤを地図上の地図番号に対応付ける必要がある。これは，１０１に示すデータテーブルによって対応付けを定める。さらに，１０２に示す地図データベースの情報により，そのページ左上の絶対座標Ｘ，Ｙを地図番号から求めることが出来る。さらに，地図帳上のページの左上からの座標（Ｘｍ，Ｙｍ）と，オフセット（Ｘｏｆｆ，  Ｙｏｆｆ）２８ｃ，２８ｄを考慮し，ペンで指定された位置の絶対座標（Ｘ＋Ｘｍ−Ｘｏｆｆ，  Ｙ＋Ｙｍ−Ｙｏｆｆ）が求まる。　
絶対座標から緯度・経度への変換は一般に広く行われており，関数Ｈを用いて，
［Ｘｇ，  Ｙｇ］＝Ｈ（Ｘ＋Ｘｍ−Ｘｏｆｆ，  Ｙ＋Ｙｍ−Ｙｏｆｆ）
の計算により，地図における緯度と経度へ変換ができる。
なお，ペーパＩＤと地図のＸＹ座標から直接緯度・経度を求める方法もあり，関数Ｉを用いて［Ｘｇ，  Ｙｇ］＝Ｉ（ｉｎｄｅｘ，  Ｘｍ−Ｘｏｆｆ，  Ｙｍ−Ｙｏｆｆ）　
の計算により，求めてもよい。　
上記では，ＷＧＳを用いて緯度経度への変換を行っているが，ＵＴＭ座標，平面直角座標などへ変換した地理座標を用いる場合もある。　
【００１３】　
上記のシステムを用いた具体例として，既存のカーナビゲーションシステムと組み合わせて，紙の地図をナビゲーションへの入力装置とする例を図４，５，６に示す実施形態によって詳細に説明する。　
ここでは，地図帳とコンピュータ装置を備えたナビゲーションシステムのうちカーナビゲーションシステムについて，操作者が電子ペーパに印刷された地図帳を用いて，目的地入力や地図の拡大・縮小，道路の混雑状況や特定の地図上の観光情報を表示する方法の一例を実施形態として説明する。　
図４において，カーナビゲーションシステム４１は，カーナビゲーション端末４２，地図帳３２，電子ペン３１から構成される。カーナビゲーション端末４２は，一般に販売されているカーナビゲーション端末に，ペーパＩＤ及びＸＹ座標を縮尺に応じた緯度・経度に変換する変換部などを備えたコンピュータ装置である。地図帳３２は，従来技術において説明した書き込み位置特定のためのドットパターンが印刷された電子ペーパの上に，電子ペーパのペーパＩＤ及びＸＹ座標と，地図における緯度・経度とを正確に位置あわせして印刷した複数ページからなる地図帳である。電子ペン３１は，従来技術において説明した電子ペンと同じ構成要素を持つ電子ペンである。　
【００１４】　
図５の地図帳には，各ページに異なるドットパターンが印刷されており，ペンで特定の位置を指すことにより，どのページのどのＸＹ座標かを判別することができる。　
また，各ページには，ナビゲーション機能を指定するための特殊なボックス領域５３を作り，カーナビゲーションシステムを操作するために利用することが考えられる。これらの特殊ボックス機能の全てもしくは一部は，必要により各ページに印刷せずに表紙など特定のページに配置できる。目的地設定ボックス５３ａは，該当ページの特定個所を目的地として選択することを指定するためのボックスである。地図表示ボックス５３ｂは，該当ページの地図を表示することを指定するためのボックスである。送信ボックス５４は，指定した機能をカーナビゲーションシステムの送信するボックスである。　
図６のカーナビゲーション端末４２は，３つの処理手段６６〜６８と，地図変換データベース６３ｂ，地図データベース６３ａ，通信装置である受信部６５ｂとペンインターフェイス６５ａ，音声処理部６９，表示装置であるディスプレイ６４ｂを保有している。　
制御部６８は，カーナビゲーション端末全体の入出力や処理などの制御を行う。制御部のナビゲーション処理機能は，ペン３１からペンインターフェイス６５ａを介して受信したペーパＩＤとＸＹ座標を受け取り，座標変換処理部６６によって特定された緯度・経度情報とともに，機能判別部６７によって指定された機能の判別を行い，地図情報や特定の情報などの表示をディスプレイ６４ｂに表示することや，目的地を設定することなどを行う。　
機能判別部６７は，ペーパＩＤとＸＹ座標から，利用者の指定した機能を判別する。座標変換部６６は，ペーパＩＤとＸＹ座標から，地図データベース６３ａを用いて緯度・経度へと変換処理を行う。　
ペンインターフェイス６５ａは，ペンから送信されてきたデータを受信する通信装置である。　
表示装置６４ｂは，カーナビゲーション端末４２で処理されている情報や地図などの情報を表示するためのディスプレイである。　
音声処理部６９ａは，カーナビゲーション端末４２で処理されている情報や，利用者への操作説明などを音声出力するスピーカまたは，カーナビゲーション端末４２に音声入力するためのマイクである。　
【００１５】　
以上のカーナビゲーション端末４２は，一般に市販されているカーナビゲーション端末にペンとの通信装置と地図帳の座標変換処理部６６，機能判別部６７などの装置やプログラムを搭載することでも実現が可能である。　
本実施形態でのカーナビゲーションシステム４１の具体的な利用方法について述べる。　
利用者がカーナビゲーションシステム４１を利用して，目的地を入力する場合を例に説明する。　
利用者は，地図帳３２から目的地が存在するページを探す。この時，地図のどの縮尺のページを選択するかは利用者が自由に選択してよい。（ステップ６１）　
利用者は，目的地のあるページのうち，目的地の特定位置を電子ペン３１を使って指定する。指定する方法としては，目的地を丸で囲む，タッチする，などをする。（ステップ６２）　
利用者は，目的地設定ボックス５３をチェックする。（ステップ６３）　
利用者は，送信ボックス５４をチェックする。（ステップ６４）　
送信ボックス５４がチェックされると，電子ペン３１からペンインターフェイス６５ａに，ペーパＩＤとＸＹ座標データが送信される。（ステップ６５）　
ペンインターフェイス６５ａからのデータを制御部６８が受け取ると，制御部６８は機能判別部６７によって，選択された機能の判別を行う。本例では，目的地設定機能であると判別される。（ステップ６６）　
制御部６８は，地図変換データベース６３ｂによって，受信したペーパＩＤとＸＹ座標データを緯度・経度へと変換を行う。（ステップ６７）　
変換された緯度・経度に相当する位置を目的地に設定する。（ステップ６８）
同時に目的地を中心とする地図を地図データベース６３ａから取得し，ディスプレイ６４ｂに表示する。（ステップ６９）　
終了（ステップ７０）」　
　
・「【００２３】　
【発明の効果】　
以上述べたように，本発明によれば，電子ペーパ上の地図の特定地点を電子ペンで指すだけで，指定した部分の位置座標を容易に取得でき，また，地図の電子的な座標情報への迅速な変換が可能である。変換された座標情報は，即座に処理装置に送信され，関係者間で情報を共有しながら，様々なシステムやサービスに応用することが出来る。」　
　
・段落【０００８】等の記載事項からみて，電子ペーパには地図があらかじめ印刷されていることが理解できる。　
　
・段落【００１４】の「図５の地図帳には，各ページに異なるドットパターンが印刷されており，ペンで特定の位置を指すことにより，どのページのどのＸＹ座標かを判別することができる。・・・，ナビゲーション機能を指定するための特殊なボックス領域５３を作り，カーナビゲーションシステムを操作するために利用することが考えられる。これらの特殊ボックス機能の全てもしくは一部は，必要により各ページに印刷せずに表紙など特定のページに配置できる。目的地設定ボックス５３ａは，該当ページの特定個所を目的地として選択することを指定するためのボックスである。」，「制御部のナビゲーション処理機能は，ペン３１からペンインターフェイス６５ａを介して受信したペーパＩＤとＸＹ座標を受け取り，座標変換処理部６６によって特定された緯度・経度情報とともに，機能判別部６７によって指定された機能の判別を行い，地図情報や特定の情報などの表示をディスプレイ６４ｂに表示することや，目的地を設定することなどを行う。機能判別部６７は，ペーパＩＤとＸＹ座標から，利用者の指定した機能を判別する。」という記載事項からみて，特殊ボックス機能の全てを（各ページに印刷せずに）表紙のページに配置した場合においては，表紙のページには，複数ページのドットパターンが印刷された電子ペーパ上の地図の個別の内容に共通して適用可能な該当ページの特定個所を目的地として選択することの指定を示す目的地設定ボックス５３が配置されているとともに，該目的地設定ボックス５３が配置された位置に前記該当ページの特定個所を目的地として選択することの指定に対応する前記ドットパターンが印刷されている構成をとることが理解できる。　
　
　これらの事項及び図示内容を総合し，特に特殊ボックス機能の全てを表紙のページに配置した場合に着目すると，引用例１には，以下の発明（以下，「引用発明」という。）が記載されていると認められる。　
「ディスプレイ６４ｂに目的地を中心とする地図を表示するカーナビゲーション端末４２に処理を行わせる該当ページの特定個所を目的地として選択することの指定を示す目的地設定ボックス５３と，該該当ページの特定個所を目的地として選択することの指定を示す目的地設定ボックス５３に付加されるペーパＩＤとＸＹ座標データとが電子ペン３１により読み取り可能なドットパターンとして印刷された複数ページからなる地図帳３２であって，　
　複数ページのドットパターンが印刷された電子ペーパと，特殊ボックス機能の全てを配置した表紙のページとを有する地図帳３２と，　
　前記電子ペーパには地図があらかじめ印刷されていると共に，該地図に対応した前記ペーパＩＤとＸＹ座標データに対応する前記ドットパターンが印刷され，　
　前記表紙のページには，前記複数ページのドットパターンが印刷された電子ペーパ上の地図の個別の内容に共通して適用可能な該当ページの特定個所を目的地として選択することの指定を示す目的地設定ボックス５３が配置されているとともに，該目的地設定ボックス５３が配置された位置に前記該当ページの特定個所を目的地として選択することの指定に対応する前記ドットパターンが印刷されている，地図帳３２。」　
　
（２）原査定の拒絶の理由に引用された，本願の出願前に頒布された刊行物である特表２００４−５１３４６３号公報（以下「引用例２」という。）には，「情報管理用のデバイス及びシステム」に関し，図面とともに以下の事項が記載または示されている。　
　
・「【０００１】　
（技術分野）　
本発明は，クレーム１の序文によるファイリングアプライアンスと，クレーム１２の序文によるシステムと，クレーム１８の序文によるコンピュータシステムにおける方法と，クレーム１９の序文によるコンピュータプログラムと，クレーム２０によるメモリ媒体に関する。」　
　
・「【０００６】　
この目的は，クレーム１に記載されているようにファイリングアプライアンス及びクレーム１２によるシステムと，クレーム１８によるコンピュータシステムにおける方法と，クレーム１９によるコンピュータプログラムと，クレーム２０によるメモリ媒体によって達成される。　
【０００７】　
より具体的には，第１の態様による本発明は，たとえば，複数の紙シートを保持する手段を備えるファイリングアプライアンスに関する。このファイリングアプライアンスは，位置コーディングパターンを備え，前記位置コーディングパターンを用いて，後出の入力フィールド中に位置をディジタル式に記録して入力フィールドに入力された情報をディジタル式に記録する描画デバイスによって書き込むようになっている少なくとも１つの入力フィールドと，位置コーディングパターンを備えた開始アイコンとを有し，この描画デバイスによるこの開始アイコンのマーキングによって，この描画デバイスと通信しているコンピュータシステムにおいて動作を開始されるようになっており，この動作で，少なくとも入力フィールドに入力された情報によって識別可能な情報オブジェクトが作成されることを特徴とする。これによって，ファイリングアプライアンスの「ディジタル式コピー」を作成することが可能となる。続いてファイリングアプライアンスに入力された情報もまた，コピーしてこの「ディジタル式ファイリングアプライアンス」に入力されたりする。この情報は，容易に編成され，これで，たとえば電子メールで共用されたりする。　
【０００８】　
この入力フィールドは，少なくとも，オプションとしてＯＣＲで解釈可能な手書きテキストを書き込むようになっているのが望ましい。これによって，作成された情報オブジェクトを容易に識別して探索することが可能となる。
【０００９】　
ある好ましい実施形態では，入力フィールドはまた，少なくともイラストを書き込むようになっている。これによって，情報オブジェクトをより表現力のあるように記録する方法が可能となり，また，この方法は，言語と，読み書きする完全な能力とは無関係である。　
【００１０】　
複数の紙シートから成る少なくともサブセット中のいくつかの紙シートには，位置コーディングパターンが備わっているのが望ましいが，これで，このサブセット中の紙シートに前記描画デバイスによって書き込まれた情報が，ベクトルベースの入力であり得るディジタル式グラフィック入力として記録可能となるが，このファイリングアプライアンスは，多くの外観アイコンを含み，描画デバイスによる外観アイコンのマーキングは，ストローク幅やラインカラーなどの視覚的特性をディジタル式グラフィック入力に与えるようになっている。　
【００１１】　
これによって，より表現力のあるグラフィック入力をディジタル式に記録することが可能となる。　
【００１２】　
ある好ましい実施形態では，ファイリングアプライアンスは，位置コーディングパターンを備えたアドレスフィールドと注文アイコンを含むが，前記描画デバイスによるこの注文アイコンのマーキングによって，コンピュータシステム内で動作が開始されるようになっており，この動作で，アドレスフィールドに入力されたアドレスに送付される別のファイリングアプライアンスの注文が実行される。　
【００１３】　
これによって，新しいファイリングアプライアンスを容易に注文することが可能となる。　
【００１４】　
前記複数の紙シートから成るサブセットの内のいくつかの紙シートには，位置コーディングパターンを備え，これによって，このサブセット中の紙シートに書き込まれた情報を，前記描画デバイスによってグラフィク入力として記録することが可能となり，また，送出アイコンには，位置コーディングパターンを備え，これによって，この送出アイコンのマーキングによって，コンピュータ内で動作が開始され，この動作で，前記紙シート上に入力され，ディジタル式に記録されたグラフィック入力が，コンピュータシステムに，そしてオプションとしては，外部コンピュータシステムに転送されるようにするのが望ましい。　
【００１５】　
このようなファイリングアプライアンスによって，ユーザが，たとえば，コンピュータのマウスやキーボードによってコンピュータシステム内で直接的に動作を開始する必要なく，情報の転送を開始することが可能となる。」　
　
・「【００２６】　
（発明を実施するための最良の形態）　
図１Ａと１Ｂに，ファイリングアプライアンスの様々な考えられる実施形態を示す。　
【００２７】　
図１Ａでは，ファイリングアプライアンスがリングバインダという形態で示されている。そのカバー部分１（その上部が見えており，下部は隠されている），すなわち，紙シートを包含する部分は，比較的堅いのが望ましい。比較的多くのシートを，二股分岐形態をした取り付け手段２（これまた，図２に見受けられる）の支援で，ファイリングアプライアンスに取り外し可能に取り付けられている。　
【００２８】　
図１Ｂでは，ファイリングアプライアンスは，螺旋バインダという形態である。これで，カバー部品３はリングバインダの部品より通常は柔らかく，次に，幾分より少ない数の紙シートを，コイル形態の取り付け手段４の支援によって取り付ける。また，上記以外のタイプの取り付け手段，たとえば，クランプなどを用いてもよい。　
【００２９】　
図２に，本発明によるオープンファイリングアプライアンスを示す。　
【００３０】　
第１の入力フィールド６及び第２の入力フィールド７並びに開始アイコン８を，カバー部分の頂部の内側５に印刷する。この第１の入力フィールド，第２の入力フィールド及び開始アイコンを，図６により明瞭に示す。
【００３１】
ファリングアプライアンスを使用する意図を持つユーザは，第１の入力フィールド６にテキストを書き込むか，第２の入力フィールド７にイラストを書き込むか，又はその双方を実行する。第１の入力フィールド６と第２の入力フィールド７は，位置コーディングパターン（図示せず）を備えている。この位置コーディングパターンは，相対的にコーディングすることが可能であるが，絶対的にコーディングするのが望ましく，これについては，以下に詳述する。また，絶対的位置コーディングパターンと相対的コーディングパターンの組み合わせを用いることも可能である。　
【００３２】　
ユーザは，自分がファイリングアプライアンスを特徴付けたいテキスト又は数字を第１の入力フィールドに書き込む。このテキスト又は数字は，位置コーディングパターンを使用しながら，同時に，入力フィールドが印刷されているベース上の位置を検出するタイプの描画デバイスによって書き込まれる。このようにして，第１の入力フィールド６に入力さ
れた情報は，描画デバイスによって位置のシーケンスとして記録される。　
【００３３】　
同じようにして，ユーザは，イラストを第２の入力フィールド７に入力することが可能である。　
【００３４】　
望ましくはこのようにする以前に，しかしたぶんその後で，ユーザは，開始アイコン８をマーキングする。ユーザは，開始アイコン８をマーキングすると，第１の入力フィールド６と第２の入力フィールド７の内の一方に入力する。このマーキングによって，開始アイコン８が，描画デバイスによって打ち抜かれ，抹殺され，又は，単に接触されるという結果と成りかねない。開始アイコン８は，新しいファイリングアプライアンスの開始だけを示す位置コードを含むことがある。」　
　
・「【００３６】　
ファイリングアプライアンス中に取り付けられた紙シートの少なくともサブセットにもまた，位置コーディングパターンを備え，これによって，描画デバイスを用いて紙シート上に記載されている覚え書きが描画デバイスによって記録され，また，作成された情報オブジェクト中に適切な仕方で入力することが可能となるようにするのが望ましい。情報オブジェクトがテーブルである場合，紙シートの内の１つは，テーブル中の項目に対応するということがあり得る。これで，上記の覚え書きは，コンピュータシステムに接続された印刷機を用いて容易に印刷することが可能となる。この覚え書きはまた，たとえば電子メールとして他の興味を持っている人たちに容易に送ることが可能である。　
【００３７】　
本出願によれば，位置コーディングパターンが一般的に用いられるが，これについてはあとで詳述する。この位置コーディングパターンは，上述したように，紙シート上に書かれたテキスト，数字及びイラストを，位置コーディングパターンによって紙シート上の位置を検出することが可能な描画デバイスを用いて記録することを可能とする。このテキスト又はこれらの数字は，ベクトル形態で記録することが可能であるが，また，入力された情報に関して文字認識動作を実行することも可能である。したがって，上述したように描画デバイスを用いて紙シート上に入力された「Ａ」を，記録された座標の集合として又は文字「Ａ」として，たとえば，光学式文字認識（ＯＣＲ）による解釈に続いて，あるＡＳＣＩＩコードで記録することが可能である。」
　
・「【００４０】　
図３に，パレットフラップ１１が展開され，本発明によるファイリングアプライアンスをそれと共に使用されるようになっている描画デバイス１２とコンピュータシステム１３（図示の場合では，ＰＣ）を有する，本発明のある実施形態によるオープンファイリングアプライアンスを示す。これらのファイリングアプライアンス，描画デバイス及びコンピュータシステムは，一緒になって情報管理システムを形成している。このコンピュータシステムもまた，インターネット上のストレージから成る。　
【００４１】　
パレットフリップ１１は，外観アイコンを備えており，このアイコンは，図８により明瞭に示し，この図の記述を参照してより詳しく説明する。このような外観アイコンもまた，ファイリングアプライアンスの他の部分又は別個の紙片や物差しに印刷することが可能である。　
【００４２】　
描画デバイス１２は，手持ち式であるが，ベース上にものを書くとインク跡が付き，同時に，このベースに，描画デバイス１２が解釈可能な位置コーディングパターンが備わっていれば，このベース上の位置が記録されるタイプであるのが望ましい。描画デバイス１２は，ケーブルや，短距離リンクや，紫外線（ＩＲ）リンクなどでコンピュータシステム１３と通信可能である。このコンピュータシステム，すなわちコンピュータユニット１３もまた，描画デバイス中に組み込むことが可能である。　
【００４３】　
図４に，オープン注文ページを持つ，本発明のある実施形態によるファイリングアプライアンスを示す。この注文ページを用いて，たとえば，ユーザのファイリングアプライアンスが書類で一杯になった場合に，さらなるファイリングアプライアンスを注文することが可能である。この注文ページの独特の特徴を，図９を参照してより詳しく説明する。
【００４４】　
図５に，本発明のある実施形態によるファイリングアプライアンスの場合の紙シートを示す。　
【００４５】　
紙シートの少なくとも一方の側面には，位置コードパターンが備えられており，これで，上記のタイプの描画デバイスによってシート上に書かれた覚え書きが，描画デバイスによってディジタル式に記録され，次に，コンピュータシステムに送信することが可能であるようにする。この紙シートはまた，ある機能性を有し，この機能性を用いて，ページに入力された情報を描画デバイスからコンピュータシステムに対して，オプションとしては，外部のコンピュータシステムに対して送信する動作を開始させるが，これについては図７を参照して詳述する。」　
　
・「【００５１】　
より詳しくは，描画デバイス１２（図３）には，ペンポイント１２ａと，光学センサー１２ｂと，プロセッサ１２ｃと，メモリ１２ｄと，バッテリ１２ｅと，通信ユニット１２ｆが備えられている。描画デバイス１２は，その位置の座標を検出するようになっている。この座標は連続的に，メモリ１２ｄ中のバッファに保存される。」　
　
・「【００６２】　
図８に，図３に示すパレットフラップ中に示された独特の特徴を，より明確な形態で示す。このフラップ上には，全体的又は部分的にフレーミングされたエリア２３〜２９の集合があるが，これらは各々が関連した記号２３’〜２９’を有している。このようなエリア２３は，その関連する記号２３’と一緒に，外観アイコンだと言うことが可能である。上記のタイプの描画デバイスでマーキングすることによって，このような外観アイコン，すなわち，ファイリングアプライアンス中の紙シート上に存在する後続の又は先行するディジタル式に記録されているグラフィック入力に，ある視覚的特性が与えられる。これは，グラフィック入力の資格として記述することが可能である。たとえば，最大のストローク幅を表す記号２５’と関連するエリア２５がマーキングされた場合，紙シート上の後続のグラフィック入力には，対応するストローク幅を与えることが可能である。このストローク幅は，この紙シート上には顕れず，シート上に書かれている内容のディジタル記録中に顕れるだけである。このディジタル式に記録されている情報が，たとえば，コンピュータシステムのディスプレイとのユーザインタフェース中に示されると，選択されたストローク幅を持つグラフィック入力が，したがって顕れる。一部のコンピュータシステムでは，前記の与えられた視覚的特性は示す必要がない。図８に，ストローク幅用の３つの外観アイコン２３，２３’，２４，２４’，２５及び２５’と，ラインカラー選択用の４つの外観アイコン２６，２６’，２７，２７’，２８，２８’，２９及び２９’を示す。本発明に従って使用可能な他のタイプの資格としては，太字，イタリック，アンダーライン付け，下付き添え字，上付き添え字などがある。資格はまた，様々な許可レベル，すなわち，同僚，個人的関係などで付けることも可能である。別の資格付けとしては，変化としてのマーキングがあったりする。」　
　
・「【図面の簡単な説明】　
・・・
【図３】
パレットフラップが展開され，本発明によるファイリングアプライアンスをそれと共に使用されるようになっている描画デバイスとコンピュータシステムを有する，本発明のある実施形態によるオープンファイリングアプライアンスを示す図である。」　
　
３．発明の対比　
　本願補正発明と引用発明とを対比すると，後者の「ディスプレイ６４ｂ」は前者の「表示画面」に相当し，以下同様に，「目的地を中心とする地図」は「処理内容」に，「該当ページの特定個所を目的地として選択することの指定を示す目的地設定ボックス５３」は「コマンド情報」に，「ペーパＩＤとＸＹ座標データ」は「付加情報」に，「電子ペン３１」は「読取装置」に，「ドットパターン」は「コード」に，「印刷され」る態様は「付与され」る態様に，「複数ページからなる地図帳３２」は「冊子状の入力装置」に，「地図帳３２」は「冊子本体」又は「入力装置」に，「複数ページの」は「複数のシート状の」に，「ドットパターンが印刷された電子ペーパ」又は「電子ペーパ」は「印刷媒体」に，「地図」は「視覚によりユーザに情報を提供する視認コンテンツ」又は「視認コンテンツ」に，「目的地設定ボックス５３」は「アイコン」に，それぞれ相当する。　
　後者を開示する引用例１のの段落【００１３】の「カーナビゲーション端末４２は，一般に販売されているカーナビゲーション端末に，ペーパＩＤ及びＸＹ座標を縮尺に応じた緯度・経度に変換する変換部などを備えたコンピュータ装置である。」との記載を参酌すれば，後者の「カーナビゲーション端末４２」は前者の「コンピュータ」に相当するといえる。　
　後者の目的地設定ボックス５３等の特殊ボックス機能が配置された「表紙のページ」と前者の「操作用シート片」とは「操作用シート」という点で共通するから，後者の「複数ページのドットパターンが印刷された電子ペーパと，特殊ボックス機能の全てを配置した表紙のページとを有する地図帳３２」と，前者の「複数のシート状の印刷媒体と，該印刷媒体より厚みが厚いおもて表紙および裏表紙とを有する冊子本体と，前記おもて表紙および前記裏表紙のうちの少なくとも一方の小口側に連接され，収納状態においては前記おもて表紙および裏表紙の間に折り畳まれ，使用状態においては前記おもて表紙と前記裏表紙との間から操作可能に取り出される操作用シート片とを備え」た態様とは，「複数のシート状の印刷媒体と，表紙とを有する冊子本体と，前記表紙と一体の操作用シートを備え」た概念において共通する。　
　後者の「前記表紙のページには，前記複数ページのドットパターンが印刷された電子ペーパ上の地図の個別の内容に共通して適用可能な該当ページの特定個所を目的地として選択することの指定を示す目的地設定ボックス５３が配置されているとともに，該目的地設定ボックス５３が配置された位置に前記該当ページの特定個所を目的地として選択することの指定に対応する前記ドットパターンが印刷されている」態様と，前者の「前記操作用シート片には，前記複数のシート状の印刷媒体上の視認コンテンツの個別の内容に共通して適用可能なコマンド情報を示すアイコンが印刷されていると共に，該アイコンが印刷された位置に前記コマンド情報に対応する前記コードが付与されている」態様とは，「前記操作用シートには，前記複数のシート状の印刷媒体上の視認コンテンツの個別の内容に共通して適用可能なコマンド情報を示すアイコンが配置されているとともに，該アイコンが印刷された位置に前記コマンド情報に対応する前記コードが付与されている」概念において共通する。　
　そうすると，両者は，　
「表示画面に処理内容を表示するコンピュータに処理を行わせるコマンド情報と，該該コマンド情報に付加される付加情報が読取装置により読み取り可能なコードとして付与された冊子状の入力装置であって，　
　複数のシート状の印刷媒体と，表紙とを有する冊子本体と，　
　前記表紙と一体の操作用シートを備え，　
　前記印刷媒体には，視覚によりユーザに情報を提供する視認コンテンツがあらかじめ印刷されていると共に，該視認コンテンツに対応した前記付加情報に対応する前記コードが付与され，　
　前記操作用シートには，前記複数のシート状の印刷媒体上の視認コンテンツの個別の内容に共通して適用可能なコマンド情報を示すアイコンが配置されているとともに，該アイコンが印刷された位置に前記コマンド情報に対応する前記コードが付与されている，入力装置。」　
の点で一致し，以下の各点で相違すると認められる。　
　
＜相違点１＞　
　複数のシート状の印刷媒体と，表紙とを有する冊子本体に関して，表紙が，本願補正発明では，「該印刷媒体より厚みが厚いおもて表紙および裏表紙」であるのに対して，引用発明では，そのような特定はなされていない点。
　
＜相違点２＞　
　表紙と一体の操作用シートに関して，操作用シートが，本願補正発明では，「前記おもて表紙および前記裏表紙のうちの少なくとも一方の小口側に連接され，収納状態においては前記おもて表紙および裏表紙の間に折り畳まれ，使用状態においては前記おもて表紙と前記裏表紙との間から操作可能に取り出される操作用シート片」であるのに対して，引用発明では，表紙のページが操作用シートであるものの，それ以上の特定はなされていない点。　
　
＜相違点３＞　
　操作用シートにコマンド情報を示すアイコンが配置されていることに関して，本願補正発明では，「操作用シート片」にアイコンが「印刷」されているのに対して，引用発明では，表紙のページに目的地設定ボックス５３が「配置」されているものの，「印刷」されているとの明記がない点。　
　
４．相違点の検討　
＜相違点１について＞
　一般に，おもて表紙及び裏表紙をシート状の印刷媒体よりも厚くすることは，シート状の印刷媒体をカバー（保護）する目的で慣用されている事項であり，引用発明のような地図帳に適用することにも何ら困難性はない。　
　
＜相違点２＞　
　引用例２には，ファイリングアプライアンスの中に備える複数の紙シートが位置コーディングパターンを備えたものにおいて，描画デバイス１２により，紙シート上の座標を検出すると共に，書き込まれた情報がデイジタル式グラフィック入力として記録可能であり，コンピュータに送信される「入力装置」であって，ファイリングアプライアンスは，外観アイコンを備え，描画デバイス１２によって外観アイコンがマーキングされると，前記ディジタル式グラフィック入力に視覚的特性が与えられるものが開示されている（特に，段落【００１０】，【００１４】，【００３７】，【００４５】，【００５１】を参照のこと。）。　
　ところで， 引用例２の段落【００４０】〜【００４２】，【００６２】の記載事項及び図３の図示内容からみて，おもて表紙および裏表紙を有し，裏表紙の小口側に連接された，外観アイコンを備えるパレットフラップ１１が
展開される
　そうすると，引用例２には，　
「ファイリングアプライアンスの中に備える複数の紙シートが位置コーディングパターンを備えたものにおいて，描画デバイス１２により，紙シート上の座標を検出すると共に，書き込まれた情報がデイジタル式グラフィック入力として記録可能であり，コンピュータに送信される入力装置であって，ファイリングアプライアンスは，外観アイコンを備え，描画デバイス１２によって外観アイコンがマーキングされると，前記ディジタル式グラフィック入力に視覚的特性が与えられるものにおいて，前記ファイリングコンプライアンスはおもて表紙および裏表紙を有し，前記裏表紙の小口側に連接され，外観アイコンを用いる時には，折り畳まれている状態から展開して用いるパレットフラップ１１（収納状態においては折り畳まれ，使用状態においては操作可能に取り出される操作用シート片）とを備えた，入力装置。」　
が開示されていると認められる（この開示内容を「引用例２に開示された事項」という。）　
　また，一般に，冊子において，一番外側に位置する紙票の幅を大きくしておいて，保護のために，収納状態では，両外側の紙票の間に折り畳んでおくことは，本願の出願前において周知の事項である（例えば，実願昭５０−７３８４号（実開昭５１−９１０２５号）のマイクロフィルムの図２参照。）。　
　してみれば，引用発明と引用例２に開示された事項とは，操作用シートを有する入力装置である点で共通するから，引用発明の操作用シートしての表紙に引用例２に開示された事項を適用することは，当業者が容易に想到し得たものである。これと上記周知の事項を考慮すれば，引用発明において，相違点２に係る本願補正発明の構成を採用することは，当業者が容易に想到し得たものであるといえる。　
　
＜相違点３＞　
　引用例１の段落【００１４】には，「図５の地図帳には，各ページに異なるドットパターンが印刷されており，ペンで特定の位置を指すことにより，どのページのどのＸＹ座標かを判別することができる。また，各ページには，ナビゲーション機能を指定するための特殊なボックス領域５３を作り，カーナビゲーションシステムを操作するために利用することが考えられる。これらの特殊ボックス機能の全てもしくは一部は，必要により各ページに印刷せずに表紙など特定のページに配置できる。」と記載されており，特殊ボックス機能を表紙に配置した場合に，表紙に印刷するとまでは明記されていない。　
　しかしながら，地図帳の各ページに特殊ボックス機能を印刷することの示唆はあるし，また，段落【００１２】にも「他の電子ペーパに印刷された機能ボックス２５」という記載もあることからすると，表紙に配置された特殊ボックス機構のアイコンである目的地設定ボックス５３を印刷することは，当業者にとって何ら困難なことではない。　
　また，引用発明の表紙ページである操作用シートを，引用例２に記載された操作用シート片とすることは，既に相違点２において検討したとおり，当業者が容易に採用し得る事項である。　
　
　そして，本願補正発明の奏する作用効果について検討してみても，引用発明，及び，引用例２に開示された事項から当業者が予測し得たものであって，格別なものとはいえない。　
　
　したがって，本願補正発明は，引用発明，及び，引用例２に開示された事項に基づいて当業者が容易に発明をすることができたものであるから，特許法第２９条第２項の規定により特許出願の際独立して特許を受けることができない。　
　
５．小括　
　以上のとおり，本件補正は，特許法第１７条の２第６項において準用する同法第１２６条第７項の規定に違反するものであり，同法第１５９条第１項で準用する同法第５３条第１項の規定により却下すべきものである。　
　よって，補正の却下の決定の結論のとおり決定する。　
　
第３　本願発明について　
１．本願発明　
　平成２６年　１月１０日付けの手続補正は，上記のとおり却下されたので，本願の請求項１に係る発明（以下「本願発明」という。）は，平成２５年　７月１１日付け手続補正書の特許請求の範囲の請求項１に記載された事項により特定される次のとおりのものと認められる。　
「【請求項１】　
　表示画面に処理内容を表示するコンピュータに処理を行わせるコマンド情報と，該コマンド情報に付加される付加情報とが読取装置により読み取り可能なコードとして付与された冊子状の入力装置であって，　
　複数のシート状の印刷媒体と，該印刷媒体より厚みが厚いおもて表紙および裏表紙とを有する冊子本体と，　
　前記おもて表紙および前記裏表紙のうちの少なくとも一方の小口側に連接され，収納状態においては前記おもて表紙および裏表紙の間に折り畳まれ，使用状態においては前記おもて表紙と前記裏表紙との間から操作可能に取り出される操作用シート片とを備え，　
　前記印刷媒体には，視覚によりユーザに情報を提供する視認コンテンツがあらかじめ印刷されていると共に，該視認コンテンツに対応した前記付加情報に対応する前記コードが付与され，　
　前記操作用シート片には，前記複数の印刷媒体上の視認コンテンツに共通して適用可能なコマンド情報を示すアイコンが印刷されていると共に，該アイコンが印刷された位置に前記コマンド情報に対応する前記コードが付与されていることを特徴とする入力装置。」　
　
２．引用例の記載事項　
　原査定の拒絶の理由に引用された引用例及びその記載事項は前記第２　２．に記載したとおりである。　
　
３．対比・判断　
　本願発明は，前記第２　１．で検討した本願補正発明についての限定を省いたものであって，本願補正発明が前記第２　４．に記載されたとおり，引用発明，及び，引用例２に開示された事項に基づいて，当業者が容易に発明をすることができたものであるから，本願発明も，本願補正発明と同様の理由で当業者が容易に発明をすることができたものといえる。　
　
４．むすび　
　以上のとおり，本願発明は，引用発明，及び，引用例２に開示された事項に基づいて当業者が容易に発明をすることができたものであるから，特許法第２９条第２項の規定により特許を受けることができない。　
　そうすると，このような特許を受けることができない発明を包含する本願は，他の請求項に係る発明について検討するまでもなく，拒絶されるべきものである。　
　よって，結論のとおり審決する。